(57)【要約】      （修正有）【課題】果実の果梗部を台風により切断され難い方法を提供すること。【解決手段】袋材１−ａに添え片２と巻きつけ用のテープ４−ａ、４−ｂを取り付け、添え片２を果梗４０に添わせ、巻き付け用のテープ４−ａ、４−ｂを用いて果梗４０と添え片２を一緒に巻き付け、テープ４−ａ、４−ｂの端部を枝３０に巻き付ける。【選択図】図１０（ａ）
2006115794.tif 000002
【特許請求の範囲】
【請求項１】
果実を包囲する袋材に添え片と巻き付け用のテープが付いていることを特徴とする果実袋。
【請求項２】
添え片及び巻き付け用のテープに補強材を設けた請求項１に記載の果実袋。
【請求項３】
添え片が袋材の上端を越えた長いものであることを特徴とする請求項１および請求項２に記載の果実袋。
【請求項４】
添え片を果梗に添わせ、袋材の上端を添え片側に圧縮しながら、添え片と上記の上部袋材を一緒に、巻き付け用のテープで果梗とともに縛り付け、かつ該テープの端部を枝の一部に巻き付けて、果実全体を支持することを特徴とする果実装着方法。
【請求項５】
添え片が請求項３に記載されたごとく、袋材の上部を越えて長い場合には、この添え片の一部は果梗部以外に枝部にも沿わせるように配設し、巻き付け用のテープは果梗部以外に前記枝部の添え片を枝と共に巻きつけることを特徴とする請求項４に記載の果実装着方法。
【発明の詳細な説明】
【技術分野】
【０００１】
本発明は枝に付いている果実を保護するための袋の構成と、それを用いた果実の装着方法に関する。
【背景技術】
【０００２】
本発明に関する公知例としては、以下のもがある。
【特許文献１】実開平６−３０５４
【特許文献２】実開平７−４３０２７
【特許文献３】実開平７−２５７４５
【特許文献４】特開２００２−０１７１７７
【発明の開示】
【発明が解決しようとする課題】
【０００３】
枝に付いている果実は台風等の大きな風に吹き上げられて、枝から落下して、大きな被害を受ける。果物が枝から切れて落下する状態を分析すると果実が風に一度吹き上げられて、一瞬風が止まった時、重力によって果物が下に衝撃的に落下する際に多く切断される。この切断箇所は、果実と枝とを結ぶ果梗の中間部において切断されるのが多いことが判明している。このためこの果梗部の途中において切断されない対策をすればよく、また一方この果梗部に衝撃的な力がかからないようにすればよい。このような切断を緩和する方法として前述の従来の技術では十分でなかった。
【課題を解決するための手段】
【０００４】
上記課題を解決するために本発明では次のような対策をし実用効果を確かめた。
（１）果実用の袋の一部に添え片（紙、布、木、プラスチックなど）を取付け、この添え片でもって果実の果梗を補強する。この添え片と果梗は他の巻き付け用のテープ（紙、ヒモなど）で動かないように巻き付け、かつ前記巻き付け用のテープの端部を枝に縛り付けて、果梗を補強するとともに添え片と果梗に落下時の衝撃力が作用しない構成にする。
（２）必要に応じて添え片と、巻き付け用のテープは針金やヒモ等の補強剤で補強する。
【発明の効果】
【０００５】
本発明によれば、果実が台風によって吹き上げられた時の果梗部への衝撃的な力を緩和でき、果実が枝から落下するものが極めて少なくなった。
【発明を実施するための最良の形態】
【０００６】
以下各実施例について詳細を説明する。
【実施例１】
【０００７】
図１は本発明の果実袋の一実施例の構成図である。２枚の袋材（紙、パラフイン付き紙、ビニールでできた多孔フイルムなど）１−a、１−bを互いに重ね合わせ、その周縁６、７、８は粘着材でシールし、上端は開いてある。この上端の開口部を利用して果実２０を包囲するものである。この上端の開口付近には次の工夫がしてある。まず図１０に示す枝３０と果実２０との間の果梗４０を補強するための添え片（紙、布、ビニールなど）２が、一端に取付けてある。この添え片２は粘着剤を用いて袋材１−a、１−bに取付ける。この添え片２の位置は、図示のように袋材１−aまたは１−bの端部でなくとも中間部に設けてもよい。また必要に応じてこの添え片２の長手方向には針金やヒモ等の補強材３を設けておくと、好適に果梗４０を補強できる。さらにこの実施例では、袋材１−a、１−bの上部の開口部の適当な箇所に、長い巻き付けテープ４−a、4―bが粘着剤を利用して取付けてある。このテープ４−a、４−bの長手方向には針金等の補強材５−a、５−bを設けておくと、好適に果梗４０および枝に巻き付ける際に役立つ。
【０００８】
この巻き付け方について図１０（a）、（b）、（c）を参照して説明する。まず図１０（a）に示すように、袋材１−a、１−bの内部に果実２０を入れ、果梗４０部に補強材３の付いている添え片２を取付ける。その後図１０（b）に示すように袋材１−a、１−bの上端を果梗４０に向かって圧縮する。その後（ｃ）に示すように巻き付けテープ４−a、４−bを添え片２と果梗４０とを一緒に縛るようにして巻き付けていく。この図１０（c）において便宜上テープ４−a、４−bは省略して書いてある。この際、テープ４−a、４−bに針金等の補強材５−a、５−bが付いていると、塑性変形力を利用して、添え片２と果梗４０とを固めることが容易となる。このようにして添え片２と果梗４０とをテープ４−a、４−bとによって巻き付けたテープ４−a、４−bの上端部は上方部の枝３０にからみつけるようにして巻き付け、果実２０を袋材１−a、１−bの張力とテープ４−a、４−bの張力を利用して、上部に持ち上げるようにして止める。これは果梗４０部の負担を少なくするため重要な操作となる。
【実施例２】
【０００９】
図２は本発明の果実袋の他の実施例の構成図である。これは添え片２を袋材１−aの中間部に設け、１本の巻き付けテープ４を袋材１−aの左端に設けたものである。この長い巻き付けテープ４の部分には長い巻き付け用の補強材５が取付けてある。図１の実施例の省略形であるが、同様の効果がある。
【実施例３】
【００１０】
図３は本発明の果実袋の他の実施例の構成図である。これは図２の長い巻き付けテープ４を短くし、２本の長い補強材５−a、５−bをその上部に延長するように配設したものである。またこの巻き付けテープ４の一部に補強材３を入れて、巻き付けテープ４は添え片２としての役目を果たすようにしたものである。これは図１の実施例の省略形であるが同様の効果がある。
【実施例４】
【００１１】
図４は本発明の果実袋の他の実施例の構成図である。これは図１の実施例に示すテープ４−a、４−bを無くし、補強材５−a、５−bの一部を下部のシール部７部に取付け、他端を長くして上方部に延長したものである。この実施例によれば果実２０を、その下部からしっかりと持ち上げて枝３０に支持することができる。
【実施例５】
【００１２】
図５は本発明の果実袋の他の実施例の構成図である。これは図１の実施例における添え片２と補強材３を省略したものである。この実施例では、テープ４−a、４−bがそれぞれシール部６，８近辺に付いているが、袋材１−a、１−bの上端部なら、どこに取付けてもよい。果梗４０、枝３０への取付け方は、果実２０を袋材１−a、1―b内に入れた後、袋材１−a、１−bの上端部を果梗４０に向って、圧縮しながら果梗４０と袋材１−a、１−bの上端部をテープ４−a、４−bによって捩りながら巻き付け、テープ４−a、４−bの上端部を利用して枝３０に縛り付ける。この際袋材１−a、１−bにより果実２０を上部に持ち上げるようにし、果梗４０に負担をかけないようにする事が重要である。実開平７−２５７４５に対して、テープ４−a、４−bを新たに取付けるようにしたので、袋材１−a、1−bの材料採りに苦心しなくてよいという利点がある。
【実施例６】
【００１３】
図６は本発明の果実袋の他の実施例の構成図である。これは袋材１−a、１−bの上部開口部の中央付近に２枚の添え片９−a、９−bを取付けたものである。図５の実施例によるものでは、果梗４０の上方部を十分に袋材１−a、１−bの一部で囲うことができない場合があるのに対し、この添え片９−a、９−bを設けると、それが可能となる。
【実施例７】
【００１４】
図７は本発明の果実袋の他の実施例の構成図である。これは図６の実施例では袋材１−a、１−bに添え片９−a、９−bを新たに取付けるものであったのに対し、添え片９−a、９−bを袋材１−a、１−bと一体的に形成し手間を省略したものである。
【実施例８】
【００１５】
図８は本発明の果実袋の他の実施例の構成図である。これは図７の実施例では添え片９−a、９−bが、袋材１−a、１−bの中央部に位置していたのに対し、それらをシール部の片側に寄せたものである。この実施例ではシール部６側に設けてあるが、シール部８側であってもかまわない。このように添え片９−a、９−bを片側に寄せると袋材１−a、１−bの材料採りが容易となる。
【００１６】
図９は図８に示す果実袋の材料採りの要領を示したものである。添え片９−aの付いた袋材１−a、添え片９−bの付いた袋材１−bが互い違いに配設され、切断されるようにしてある。
【実施例９】
【００１７】
図１１は図２の変形実施例の構成図である。これは袋材１−aの上端部の一部に付いている添え片２を袋材１−aの上方部に長く延長したものである。このようにすると図１２（a）（b）に示すように添え片２の上端部を果梗４０だけではなく枝３０にも取付けることができ、両方に巻付けテープ４をからませて、全体として支持力を強化することができる。この図１０（b）では、便宜上、巻き付け用のテープ４は省略して書いてある。
【図面の簡単な説明】
【００１８】
【図１】本発明の果実袋の一実施例の構成図
【図２】本発明の果実袋の他の実施例の構成図
【図３】本発明の果実袋の他の実施例の構成図
【図４】本発明の果実袋の他の実施例の構成図
【図５】本発明の果実袋の他の実施例の構成図
【図６】本発明の果実袋の他の実施例の構成図
【図７】本発明の果実袋の他の実施例の構成図
【図８】本発明の果実袋の他の実施例の構成図
【図９】図８の袋を作る際の材料採りを示す図
【図１０（ａ）】本発明の果実袋を枝に付いている果実に装着する際の状態図
【図１０（ｂ）】本発明の果実袋を枝に付いている果実に装着する際の状態図
【図１０（ｃ）】本発明の果実袋を枝に付いている果実に装着する際の状態図
【図１１】図２の変形実施例の構成図
【図１２（ａ）】図１１の果実袋を果実に装着する際の状態図
【図１２（ｂ）】図１１の果実袋を果実に装着する際の状態図
【符号の説明】
【００１９】
１−ａ    袋材
１−ｂ    袋材
２        添え片（紙、木、布、プラスチックなど）
３        補強材（針金、ヒモなど）
４−ａ    巻き付け用のテープ（紙、ヒモなど）
４−ｂ    巻き付け用のテープ（紙、ヒモなど）
５−ａ    補強材（針金、ヒモなど）
５−ｂ    補強材（針金、ヒモなど）
６        シール部
７        シール部
８        シール部
９−ａ    添え片
９−ｂ    添え片
２０      果実
３０      枝
４０      果梗
【図１】
2006115794.tif 000003
【図２】
2006115794.tif 000004
【図３】
2006115794.tif 000005
【図４】
2006115794.tif 000006
【図５】
2006115794.tif 000007
【図６】
2006115794.tif 000008
【図７】
2006115794.tif 000009
【図８】
2006115794.tif 000010
【図９】
2006115794.tif 000011
【図１０（ａ）】
2006115794.tif 000012
【図１０（ｂ）】
2006115794.tif 000013
【図１０（ｃ）】
2006115794.tif 000014
【図１１】
2006115794.tif 000015
【図１２（ａ）】
2006115794.tif 000016
【図１２（ｂ）】
2006115794.tif 000017